(57)【要約】      （修正有）【課題】組み立てと分解、運び及び保管が容易なブロック組み立て体を提供する。【解決手段】中央に第１開口部が形成される第１層と、第１層に連結されて中央に第１開口部より小さい面積の第２開口部が形成される第２層を備える第１継手と、第１層の少なくとも一部を収容する第３開口部が形成され、内面に第１層を支持する第１突起が形成されるボディー部と、ボディー部の一側面と接する他の側面からそれぞれ突出され、第３開口部より小さい面積の第４開口部が形成される複数個の延長部を備える第２継手と、第１層の少なくとも一部を収容する第５開口部が形成され、第５開口部が延長部を収容するように第２継手に結合される連結部を含み、仮想の四角形の各頂点に第１継手の第１層の少なくとも一部を収容する第２継手が配置され、各第２継手は連結部によって互いに連結される。【選択図】図７
2018191693.tif 000002
【特許請求の範囲】
【請求項１】
中央に第１開口部が形成される第１層と、前記第１層に連結されて中央に前記第１開口部より小さい面積の第２開口部が形成される第２層を備える第１継手；
前記第１層の少なくとも一部を収容する第３開口部が形成され、内面に前記第１層を支持する第１突起が形成されるボディー部と、前記ボディー部の一側面と前記一側面と接する他の側面からそれぞれ突出され、前記第３開口部より小さい面積の第４開口部が形成される複数個の延長部を備える第２継手；及び
前記第１層の少なくとも一部を収容する第５開口部が形成され、前記第５開口部が前記延長部を収容するように前記第２継手に結合される連結部；を含み、
仮想の四角形の各頂点に前記第１継手の前記第１層の少なくとも一部を収容する前記第２継手が配置され、前記各第２継手は前記連結部によって互いに連結され、前記連結部に取り囲まれて内側に形成される空の空間に複数個の前記連結部、及び前記連結部に収容される第１継手を保管することを特徴とする、ブロック組み立て体。
【請求項２】
前記第１開口部、前記第２開口部、前記第３開口部、前記第４開口部及び前記第５開口部は、円形、楕円形及び多角形の中で一つの形状を持つことを特徴とする、請求項１に記載のブロック組み立て体。
【請求項３】
前記第１継手及び前記第２継手は、プラスチックまたは金属で形成される、請求項１に記載のブロック組み立て体。
【請求項４】
前記連結部はプラスチックまたは紙で形成される、請求項１に記載のブロック組み立て体。
【請求項５】
前記第１開口部は別の前記第１継手の前記第２層を収容し、
前記第１層は内面に別の前記第１継手の前記第２層を支持する第２突起をさらに含む、請求項１に記載のブロック組み立て体。
【発明の詳細な説明】
【技術分野】
【０００１】
本発明の実施例は装置に係り、より詳しくは、多様な形状のブロックの組み立てと分解、運び及び保管が容易なブロック組み立て体に関するものである。
【背景技術】
【０００２】
ブロック組み立て体とは、多様な形状を持つ多数の組み立てブロックが相互組み立てられることによって、多様な形態の構造物を構成することができ、教育、遊び、展示など、各種用途に利用することができる。
【０００３】
前述の背景技術は、発明者が本発明の実施例を導き出すために保有していたり、導出過程で習得した技術情報であって、必ず本発明における実施例の出願前に一般公衆に公開された公知技術とは言えない。
【発明の概要】
【発明が解決しようとする課題】
【０００４】
本発明の実施例は、組み立てと分解、運び及び保管が容易なブロック組み立て体を提供する。
【課題を解決するための手段】
【０００５】
本発明の一実施例は、中央に第１開口部が形成される第１層と、第１層に連結されて中央に第１開口部より小さい面積の第２開口部が形成される第２層を備える第１継手と、第１層の少なくとも一部を収容する第３開口部が形成され、内面に第１層を支持する第１突起が形成されるボディー部と、ボディー部の一側面と接する他の側面からそれぞれ突出され、第３開口部より小さい面積の第４開口部が形成される複数個の延長部を備える第２継手と、第１層の少なくとも一部を収容する第5 開口部が形成され、第5 開口部が延長部を収容するように第２継手に結合される連結部を含み、仮想の四角形の各頂点に第１継手の第１層の少なくとも一部を収容する第２継手が配置されるし、各第２継手は連結部によって互いに連結され、連結部に取り囲まれて内側に形成される空の空間に複数個の連結部、及び連結部に収容される第１継手を保管することを特徴とするブロック組み立て体を開示する。
【０００６】
本実施例において、第１開口部、第２開口部、第３開口部, 第４開口部及び第５開口部は円形、楕円形及び多角形の中で一つの形状を持つことを特徴とすることができる。
【０００７】
本実施例において、第１継手及び第２継手は、プラスチックまたは金属で形成されることができる。
【０００８】
本実施例において、連結部はプラスチックまたは紙で形成されることができる。
【０００９】
本実施例において、第１開口部は他の前記第１継手の第２層を収容し、第１層は内面に他の第１継手の第２層を支持する第２突起をさらに含むことができる。
【００１０】
前述したこと以外の別の側面、特徴、利点が以下の図面、特許請求範囲及び発明の詳細な説明によって明確になる。
【発明の効果】
【００１１】
前記のように構成された本発明の一実施例によれば、組み立てと分解、運び及び保管が容易なブロック組み立て体を提供することができる。
【００１２】
無論、このような効果によって本発明の範囲が限定されることではない。
【図面の簡単な説明】
【００１３】
【図１】第１継手を示す図
【図２】第２継手を示す図
【図３】第１継手と連結部が組み立てられてＩ型ユニットを構成する姿を示す図
【図４】第１継手、第２継手及び連結部が互いに組み立てられてＬ型ユニットを構成する姿を示す分解斜視図
【図５】相互異なるＬ型ユニットが互いに組み立てられてＯ型ユニットを構成する姿を示す図
【図６】相互異なるＯ型ユニットと複数個のＩ型ユニットが互いに組み立てられてブロックユニットを構成する姿を示す分解斜視図
【図７】本発明の一実施例に関するブロック組み立て体の組み立て例を示す斜視図
【発明を実施するための形態】
【００１４】
本発明は、多様な変換を加えることができるし、様々な実施例を有することができるので、特定実施例を図面に例示して詳細な説明に詳しく説明する。本発明の効果及び特徴、そしてそれらを果たす方法は、図面と共に詳細に後述されている実施例を参照すれば明確である。しかし、本発明は以下で開示される実施例に限定されることではなく、多様な形態で実現することができる。
【００１５】
以下の実施例において、第１、第２などの用語は、限定的な意味ではなく一つの構成要素を別の構成要素と区別する目的として使われる。また、単数の表現は文脈上明らかに違うことを意味しない限り、複数の表現を含む。また、「含む」または「持つ」などの用語は、明細書上に記載された特徴、または構成要素が存在することを意味し、一つ以上の他の特徴または構成要素が付け加えられる可能性を予め排除することではない。
【００１６】
また、図面では説明の便宜のために、構成要素の大きさが誇張または縮小されることがある。例えば、図面で示された各構成の大きさ及び厚さは、説明の便宜のために任意に例示したもので、本発明が必ず図示されたことに限定されない。
【００１７】
以下、添付の図面を参照して本発明の実施例を詳しく説明し、図面を参照して説明する時、同一または対応する構成要素には、同じ図面符号を付し、これに対する重複説明は省略する。
【００１８】
先ず、図１ないし図３を参照して本発明の一実施例に関するブロック組み立て体１０の各構成要素について具体的に説明する。
【００１９】
図１は第１継手を示す図面である。詳しくは、図１（ａ）は第１継手の斜視図であり、図１（ｂ）は第１継手の平面図であり、図１（ｃ）は第１継手の背面図であり、図１（ｄ）は第１継手の正面図である。
【００２０】
前記のような図１（ａ）ないし図１（ｄ）を参照すれば、第１継手１００は中空形状のブロックで射出成形できるプラスチックまたは金属で形成されることができるし、中央に第１開口部１１１が形成される第１層１１０と、第１層１１０に連結されて中央に第１開口部１１１より小さい面積の第２開口部１２１が形成される第２層１２０を含むことができる。
【００２１】
第１開口部１１１と第２開口部１２１は第１継手１００を貫くように互いに連結されることができるし、図面には四角形状を持つように示されているが、本発明の実施例はこれに限定されない。すなわち、第１開口部１１１と第２開口部１２１は、円形、楕円形及び多角形の中で一つの形状を持つように形成されてもよい。また、第１開口部１１１と第２開口部１２１が第１継手１００を完全に貫通せずに、第１層１１０と第２層１２０の間の空間がふさがっている構造で形成されてもよい。ただし、以下では説明の便宜のために、第１開口部１１１と第２開口部１２１が四角形状を持つように形成された場合を中心にして説明する。
【００２２】
一方、第１継手１００は複数個が備えられて互いに組み立てられることができる。詳しくは、第１開口部１１１は他の第１継手１００の第２層１２０を収容することができるし、このとき、第１層１１０は内面に前記他の第１継手１００の第２層１２０を支持する第２突起１１２をさらに含むことができる。このような構成によって、第１継手１００の第１層１１０は、他の第１継手１００の第２層１２０を収容して互いに組み立てられることができる。
【００２３】
図２は、第２継手を示す図面である。詳しくは、図２（ａ）は第２継手の斜視図であり、図２（ｂ）は第２継手の平面図であり、図２（ｃ）は第２継手の正面図である。
【００２４】
前記のような図２（ａ）ないし図２（ｃ）を参照すれば、第２継手２００は中空形状のボディー部２１０及び延長部２２０を含むことができるし、射出成形できるプラスチックまたは金属で形成されることができる。
【００２５】
詳しくは、ボディー部２１０には第１継手１００の第１層１１０の少なくとも一部を収容する第３開口部２１１が形成され、第３開口部２１１に第１継手１００の第１層１１０が収容される場合、第１層１１０を支持する第１突起２１２が形成されることができる。
【００２６】
そして、延長部２２０はボディー部２１０の一側面と接する他の側面からそれぞれ突出されるように形成され、延長部２２０には第３開口部２１１より小さい面積の第４開口部２２１が形成されることができる。図２では延長部２２０が互いに垂直の位置でボディー部２１０から突出されたことを例示したが、前記延長部２２０は互いに水平の位置でボディー部２１０から突出されることができるし、また延長部２２０はボディー部の側面から２以上の複数個で突出されることができる。
【００２７】
図３は第１継手と連結部が組み立てられてＩ型ユニットを構成する姿を示す図面である。詳しくは、図３（ａ）はＩ型ユニットの分解斜視図で、図３（ｂ）はＩ型ユニットの組み立て斜視図である。
【００２８】
前記のような図３（ａ）及び図３（ｂ）を参照すれば、連結部３００はプラスチックまたは紙で形成されることができるし、連結部３００には第１継手１００の第１層１１０の少なくとも一部を収容する第５開口部３１０が形成されることができる。第１継手１００は連結部３００の両側にそれぞれ結合されることができるし、一側では第２層１２０が外部へ露出されるように第１層１１０が第５開口部３１０に収容されることができるし、他側では別の第１継手１００の第２層１２０が連結部３００の内部に収容されるように第１層１１０が第５開口部３１０に収容されることができる。このように連結部３００の両側に第１継手１００が結合されてＩ型ユニットＩＵを構成することができる。
【００２９】
一方、他側で第２層１２０全体が連結部３００の内部に収容された第１継手１００は、上述したように、別の第１継手１００に連結されることができるし、このような組み立て構造に対しては図６を参照して詳細に後述する。
【００３０】
図４は、第１継手、第２継手及び連結部が互いに組み立てられてＬ型ユニットを構成する姿を示す分解斜視図で、図５は相互異なるＬ型ユニットが互いに組み立てられてＯ型ユニットを構成する姿を示す図面である。詳しくは、図５（ａ）はＯ型ユニットの分解斜視図で、図５（ｂ）はＯ型ユニットの組み立て斜視図である。
【００３１】
図４と図５（ａ）及び図５（ｂ）を参照すれば、第２継手２００の第３開口部２１１には、第１継手１００の第１層１１０が組み立てられることができる。図４は第１層１１０が全て第３開口部２１１に収容されるものと示されているが、本発明の実施例はこれに限定されない。すなわち、第１継手１００とボディー部２１０が互いに連結される限り、第１層１１０は第３開口部２１１に少なくとも一部が収容されることができる。ただし、以下では説明の便宜のために第１継手１００の第１層１１０は、ボディー部２１０の第３開口部２１１に全て収容される場合を中心にして説明する。
【００３２】
一方、ボディー部２１０は第１層１１０が下側に滑らないように第１層１１０を支持する第１突起２１２を含むことができる。図４で、第１突起２１２はボディー部２１０の高さ方向に延長するように形成され、幅方向に複数個が所定間隔に設けられているが、本発明の実施例はこれに限定されない。第１突起２１２は図４に示された第１突起２１２の形成方向、すなわち高さ方向と交差する幅方向に形成されることもでき、複数個ではなく一つでボディー部２１０の内面に設けられることもできるし、ボディー部２１０に突起を形成せずに、接着剤などの接着手段のみによって構成要素を支持することも可能である。ただし、以下では説明の便宜のために第１突起２１２はボディー部２１０の高さ方向に延長されて幅方向に複数個が設けられる場合を中心にして説明する。
【００３３】
また、第２継手２００の延長部２２０には連結部３００が組み立てられることができる。すなわち、連結部３００は延長部２２０を取り囲むように延長部２２０を収容することができる。ここで、延長部２２０と連結部３００は相互作用する摩擦力によって固定されることができるが、容易に分離されることを防ぐために、延長部２２０の外面と連結部３００の内面は接着剤などの接着手段によって相互結合されることができる。このような方法により、第１継手１００と、第２継手２００及び連結部３００が互いに連結されてＬ型ユニットＬＵが組み立てられることができる。
【００３４】
また、図５（ａ）及び図５（ｂ）を参照すれば、仮想の四角形の各頂点に第１継手１００の第１層１１０の少なくとも一部を収容する第２継手２００が配置され、各第２継手２００の延長部２２０は連結部３００によって相互連結されてＯ型ユニットＯＵが組み立てられることができる。
【００３５】
図６は相互異なるＯ型ユニットと複数個のＩ型ユニットが互いに組み立てられてブロックユニットを構成する姿を示す分解斜視図で、図７は本発明の一実施例に関するブロック組み立て体の組み立て例を示す斜視図である。詳しくは、図７（ａ）はブロックユニットＢＵの組み立て斜視図で、図７（ｂ）はブロックパッキングＢＰの組み立て斜視図である。
【００３６】
図６と図７（ａ）を参照すれば、二つのＯ型ユニットＯＵと二つのＯ型ユニットの間で互いを連結する四つのＩ型ユニットＩＵが互いに組み立てられて図７（ａ）のブロックユニットＢＵに組み立てられることができる。
【００３７】
すなわち、下側のＯ型ユニットＯＵの四角形の頂点に配置される第１継手１００の第２層１２０は、連結部３００の下側に結合された別の第１継手１００の第１層１１０に形成された第１開口部１１１に連結されることができる。また、連結部３００の上側に結合された別の第１継手１００の第２層１２０は上側のＯ型ユニットＯＵの第２継手２００のボディー部２１０に形成された第３開口部２１１に連結されることができる。
【００３８】
一方、図７（ｂ）は、図７（ａ）に現われたブロックユニットＢＵで四つのＩ型ユニットＩＵを分離し、上下のＯ型ユニットＯＵを重ねて相互連結し、各連結部３００によって取り囲まれて形成される内側の空の空間に四つのＩ型ユニットＩＵを分離して保管する姿を示す。
【００３９】
前記のように、本発明のブロック組み立て体１０はＩ型ユニットＩＵ、Ｏ型ユニットＯＵ、ブロックユニットＢＵ及びブロックパッキングＢＰのように多様な形態で相互組み立てられることができる。特に、二つのＯ型ユニットＯＵと四つのＩ型ユニットＩＵを図７（ｂ）に示したように組み立てることで、本発明の一実施例に関するブロック組み立て体１０の保管と運びを容易に行うことができる。
【００４０】
本発明によるブロック組み立て体１０は、多様な形態で組み立てられて室内インテリアで使うことができるし、椅子、テーブル、机、書棚、引き出し、クローゼット、猫などのペットのためのペットタワー（Ｐｅｔ ｔｏｗｅｒ）などで使われることができる。具体例として、図７（ａ）に図示されたように、ブロック組み立て体１０が骨格を成し、ブロック組み立て体の骨格の内部空間にディスプレイ表示装置、照明、スピーカーなどの電子機器が搭載されることができる。この場合、電子機器への電気供給が必要であるが、電線が第１ないし第5開口部１１１、１２１、211, ２２１、３１０に搭載され、電子機器と連結されることができる（図１及び図６参照）。
【００４１】
ブロック組み立て体１０の上面には、平板が置かれてテーブルなどで使うことができる。例えば、上板の下面にはブロック組み立て体１０の第２層１２０が挿入できる溝が形成されることで、上板がブロック組み立て体１０の上面に固定されることができる。
【００４２】
このように、本発明は図面に図示された一実施例を参照して説明したが、これは例示的なものに過ぎないし、当該分野における通常の知識を有する者であれば、これより多様な変形及び実施例の変形が可能であるという点を理解することができる。したがって、本発明の真の技術的保護範囲は、添付の特許請求範囲の技術的思想によって定められなければならない。
【符号の説明】
【００４３】
１０  ブロック組み立て体
１００  第１継手
１１０  第１層
１１１  第１開口部
１１２  第２突起
１２０  第２層
１２１  第２開口部 
２００  第２継手
２１０  ボディー部
２１１  第３開口部
２１２  第１突起
２２０  延長部
２２１  第４開口部
３００  連結部
３１０  第５開口部
ＩＵ  Ｉ型ユニット
ＬＵ  Ｌ型ユニット
ＯＵ  Ｏ型ユニット
ＢＵ  ブロックユニット
ＢＰ  ブロックパッキング
【図１】
2018191693.tif 000003
【図２】
2018191693.tif 000004
【図３】
2018191693.tif 000005
【図４】
2018191693.tif 000006
【図５】
2018191693.tif 000007
【図６】
2018191693.tif 000008
【図７】
2018191693.tif 000009